(57)【要約】【課題】発信者が本人であることを確実に確認できる発信者証明情報送信方法を提供する。【解決手段】使用者証明情報入力手段１６は、使用者からの使用者証明情報の入力を受け付ける。使用者認証手段１８は、使用者検証情報記憶部３４から使用者検証情報を読み出す。使用者認証手段１８は、使用者検証情報に基づいて使用者証明情報を認証する。使用者証明情報の認証が成功した場合、発信者証明情報重畳手段２０が発信者証明情報記憶部３２から発信者証明情報を読み出す。発信者証明情報重畳手段２０は、発信者証明情報を音声信号に重畳させる。発信者証明情報抽出手段５０は、受信した音声信号から発信者証明情報を抽出する。発信者認証手段４８は、発信者検証情報記憶部６２から発信者検証情報を読み出す。発信者認証手段４８は、発信者検証情報に基づいて発信者証明情報を認証する。認証結果出力手段４６は、認証結果を出力する。【選択図】図１
2008205879.tif 000002
【特許請求の範囲】
【請求項１】
電話機において、
使用者証明情報を入力するための使用者証明情報入力手段と、
前記使用者証明情報を認証する際に用いる使用者検証情報を記憶しておくための使用者検証情報記憶部と、
前記使用者検証情報に基づいて前記使用者証明情報を認証するための使用者認証手段と、
発信者証明情報を記憶しておくための発信者証明情報記憶部と、
前記発信者証明情報を音声信号に重畳させるための発信者証明情報重畳手段と、
を備え、
前記発信者証明情報重畳手段は、前記使用者証明情報の認証が成功したときに、前記発信者証明情報を前記音声信号に重畳させることを特徴とする電話機。
【請求項２】
請求項１に記載した電話機であって、
前記使用者検証情報記憶部には複数の使用者検証情報が記憶され、
前記発信者証明情報記憶部には前記複数の使用者検証情報のそれぞれに対応する発信者証明情報が記憶され、
前記発信者証明情報重畳手段は、前記使用者証明情報の認証が成功した際に用いられた使用者検証情報に対応する発信者証明情報を前記音声信号に重畳させることを特徴とする電話機。
【請求項３】
電話機において、
発信者証明情報が重畳された音声信号から該発信者証明情報を抽出するための発信者証明情報抽出手段と、
前記発信者証明情報を認証する際に用いる発信者検証情報を記憶しておくための発信者検証情報記憶部と、
前記発信者検証情報に基づいて前記発信者証明情報を認証するための発信者認証手段と、
を備えたことを特徴とする電話機。
【請求項４】
請求項３に記載した電話機であって、
前記発信者検証情報は電話番号に対応付けられており、
前記発信者認証手段は、発信された電話機を特定する発信者番号に等しい電話番号に対応付けられた発信者検証情報に基づいて前記発信者証明情報を認証することを特徴とする電話機。
【請求項５】
使用者検証情報を記憶しておくための使用者検証情報記憶部と、発信者証明情報を記憶しておくための発信者証明情報記憶部とを備えた電話機が実行する発信者証明情報送信方法であって、
使用者から使用者証明情報の入力を受け付けるステップと、
前記使用者検証情報記憶部から前記使用者検証情報を読み出すステップと、
前記使用者検証情報に基づいて前記使用者証明情報を認証するステップと、
前記使用者証明情報の認証が成功したときに、前記発信者証明情報記憶部から前記発信者証明情報を読み出すステップと、
前記発信者証明情報を音声信号に重畳させるステップと、
を備えたことを特徴とする発信者証明情報送信方法。
【請求項６】
請求項５に記載した発信者証明情報送信方法であって、
前記使用者検証情報記憶部には複数の使用者検証情報が記憶され、
前記発信者証明情報記憶部には前記複数の使用者検証情報のそれぞれに対応する発信者証明情報が記憶され、
前記発信者証明情報を音声信号に重畳させるステップにおいては、前記使用者証明情報の認証が成功した際に用いられた使用者検証情報に対応する発信者証明情報を前記音声信号に重畳させることを特徴とする発信者証明情報送信方法。
【請求項７】
使用者検証情報を記憶しておくための使用者検証情報記憶部と、発信者証明情報を記憶しておくための発信者証明情報記憶部とを備え、電話機に内蔵されたコンピュータに発信者証明情報送信方法を実行させる発信者証明情報送信プログラムであって、前記発信者証明情報送信方法は、
使用者から使用者証明情報の入力を受け付けるステップと、
前記使用者検証情報記憶部から前記使用者検証情報を読み出すステップと、
前記使用者検証情報に基づいて前記使用者証明情報を認証するステップと、
前記使用者証明情報の認証が成功したときに、前記発信者証明情報記憶部から前記発信者証明情報を読み出すステップと、
前記発信者証明情報を音声信号に重畳させるステップと、
を備えたことを特徴とする発信者証明情報送信プログラム。
【請求項８】
請求項７に記載した発信者証明情報送信プログラムであって、
前記使用者検証情報記憶部には複数の使用者検証情報が記憶され、
前記発信者証明情報記憶部には前記複数の使用者検証情報のそれぞれに対応する発信者証明情報が記憶され、
前記発信者証明情報を音声信号に重畳させるステップにおいては、前記使用者証明情報の認証が成功した際に用いられた使用者検証情報に対応する発信者証明情報を前記音声信号に重畳させることを特徴とする発信者証明情報送信プログラム。
【発明の詳細な説明】
【技術分野】
【０００１】
本発明は電話機に係り、特に、発信者が本人であることを証明するための方法に関する。
【背景技術】
【０００２】
受信者の家族と偽って電話をかけ、指定口座に現金を振り込ませる詐欺行為が頻出している。この被害を防止するために、発信者の確認を行う必要がある。発信者を確認する一つの方法は、電話サービス会社が提供している発信者番号通知サービスを利用する方法である。すなわち、特定の発信者番号を持つ電話機から発信されていることをもって、本人であると判断する方法である。また、発信者が発する音声に含まれる音声情報に基づいて話者の認証を行うことにより発信者を確認する技術も開発されている（たとえば特許文献１）。
【特許文献１】特開２００３−２３３５９５号公報
【発明の開示】
【発明が解決しようとする課題】
【０００３】
発信者番号による確認は、厳密には発信者本人ではなく、電話機を確認しているに過ぎない、したがって、携帯電話機の盗用等によって、その電話機の所有者の家族に対して、本人でない第３者が発信した場合には、発信者が本人であるか第３者であるかを家族が区別することはできない。また、音声情報に基づく話者認証の精度には限界があり、特に電話を介した場合の音声認証の精度は低い。このため、認証基準を緩く設定すれば第３者を本人であると判断する恐れがあり、認証基準を厳しく設定すれば本人を本人でないと判断する恐れがある。
【０００４】
本発明の目的は、発信者が本人であることを確実に証明できる発信者証明情報送信方法を提供することである。
【課題を解決するための手段】
【０００５】
本発明にかかる第１の電話機は、使用者証明情報を入力するための使用者証明情報入力手段と、使用者証明情報を認証する際に用いる使用者検証情報を記憶しておくための使用者検証情報記憶部と、使用者検証情報に基づいて使用者証明情報を認証するための使用者認証手段と、発信者証明情報を記憶しておくための発信者証明情報記憶部と、発信者証明情報を音声信号に重畳させるための発信者証明情報重畳手段とを備え、発信者証明情報重畳手段は、使用者証明情報の認証が成功したときに、発信者証明情報を音声信号に重畳させることを特徴とする。
【０００６】
本発明にかかる第１の電話機の使用者検証情報記憶部には複数の使用者検証情報が記憶され、発信者証明情報記憶部には複数の使用者検証情報のそれぞれに対応する発信者証明情報が記憶され、発信者証明情報重畳手段は、使用者証明情報の認証が成功した際に用いられた使用者検証情報に対応する発信者証明情報を音声信号に重畳させるようにしてもよい。
【０００７】
本発明にかかる第２の電話機は、発信者証明情報が重畳された音声信号から発信者証明情報を抽出するための発信者証明情報抽出手段と、発信者証明情報を認証する際に用いる発信者検証情報を記憶しておくための発信者検証情報記憶部と、発信者検証情報に基づいて発信者証明情報を認証するための発信者認証手段とを備えたことを特徴とする。
【０００８】
本発明にかかる第２の電話機において、発信者検証情報は電話番号に対応付けられており、発信者認証手段は、発信された電話機を特定する発信者番号に等しい電話番号に対応付けられた発信者検証情報に基づいて発信者証明情報を認証するようにしてもよい。
【発明の効果】
【０００９】
本発明によれば、発信側電話機において本人認証を行い、認証が成功したときにのみ、本人であることを示す発信者証明情報を受信側電話機に送信し、受信側電話機においては、受信した発信者証明情報を用いて発信者の認証を行うため、発信者が本人であることを受信側で確実に確認できる発信者証明情報送信方法を提供することが可能となる。
【発明を実施するための最良の形態】
【００１０】
以下、図面に基づいて実施例を説明する。
【００１１】
図１は、本発明の実施例にかかる電話機のシステム構成を示す図である。本実施例にかかる発信側電話機１は、発信先の電話番号を指定するための電話番号入力手段１２と、音声を入力するための音声入力手段１４と、発信側電話機１の使用者が発信側電話機１の正当な使用者であることを示す使用者証明情報を入力するための使用者証明情報入力手段１６と、入力された使用者証明情報に基づいて正当な使用者か否かを認証するための使用者認証手段１８と、正当な発信者であることを示す発信者証明情報を音声信号に重畳させるための発信者証明情報重畳手段２０と、音声信号を符号化するための符号化手段２２と、電話番号および符号化された音声信号を送信するための送信手段２４と、符号化された音声信号を受信するための受信手段２６と、受信した音声信号を復号化するための復号化手段２８と、復号化された音声信号を出力するための音声出力手段３０と、発信者証明情報を記憶しておくための発信者証明情報記憶部３２と、使用者証明情報を認証する際に用いる使用者検証情報を記憶しておくための使用者検証情報記憶部３４とを含む。
【００１２】
本実施例にかかる受信側電話機２は、発信先の電話番号を指定するための電話番号入力手段４２と、音声を入力するための音声入力手段４４と、音声信号を符号化するための符号化手段５２と、電話番号および符号化された音声信号を送信するための送信手段５４と、符号化された音声信号を受信するための受信手段５６と、受信した音声信号を復号化するための復号化手段５８と、復号化された音声信号を出力するための音声出力手段６０と、復号化された音声信号に重畳された発信者証明情報を抽出するための発信者証明情報抽出手段５０と、抽出された発信者証明情報に基づいて正当な発信者か否かを認証するための発信者認証手段４８と、認証結果を出力するための認証結果出力手段４６と、発信者証明情報を認証する際に用いる発信者検証情報を記憶しておくための発信者検証情報記憶部６２とを含む。
【００１３】
発信側電話機１の処理について説明する。ただし、通常の電話発信にかかる処理については周知であるため説明を割愛し、発信者証明情報の送信に関わる処理についてのみ説明する。
【００１４】
図２は、本発明の実施例にかかる発信側電話機１における発信者証明情報重畳処理のフローチャートである。本実施例にかかる発信側電話機１における発信者証明情報重畳処理の流れを図２のステップＳ１０２からステップＳ１１２の順を追って説明する。
【００１５】
（ステップＳ１０２）使用者証明情報入力手段１６は、使用者からの使用者証明情報の入力を受け付ける。本実施例では、使用者証明情報として、たとえば４桁の数字で構成される暗証番号を用いるものとするが、これに限定するものではなく、使用者を特定できる情報であれば何でもよい。たとえば、指紋や人体の特定部位の静脈パタンなどの生体情報を使用者証明情報として用いてもよい。
【００１６】
（ステップＳ１０４）使用者認証手段１８は、使用者検証情報記憶部３４から使用者検証情報を読み出す。使用者検証情報は、受信者ごとに異なる情報としてもよい。その場合、使用者証明情報は受信者の電話番号に対応付けられて使用者検証情報記憶部３４に記憶され、使用者認証手段１８は受信者の電話番号に対応する使用者検証情報を使用者検証情報記憶部３４から読み出す。使用者検証情報が受信者ごとに異なる場合、使用者は、それらに対応して異なる使用者証明情報を入力する。暗証番号を使用者証明情報として用いるのであれば、受信者ごとに異なる暗証番号とする。生体情報を使用者証明情報として用いるのであれば、受信者ごとに異なる部位（たとえば異なる指など）の生体情報とする。
【００１７】
（ステップＳ１０６）使用者認証手段１８は、使用者検証情報に基づいて使用者証明情報を認証する。本実施例の説明では、使用者証明情報が使用者検証情報に一致すれば認証が成功したものとする。認証の方法はこれに限定するものではなく、使用者証明情報が使用者検証情報に基づく何らかの判定条件を満たせば認証が成功したものとしてよい。
【００１８】
（ステップＳ１０８）使用者証明情報の認証が成功した場合（ステップＳ１０６：Ｙｅｓ）、発信者証明情報重畳手段２０が発信者証明情報記憶部３２から発信者証明情報を読み出す。本実施例では、発信者証明情報としてたとえば１０桁の１０進数を用いるものとするが、これに限定するものではなく、使用者を特定できる情報であれば何でもよい。発信者証明情報は、受信者ごとに異なる情報としてもよい。その場合、発信者証明情報は受信者の電話番号に対応付けられて発信者証明情報記憶部３２に記憶され、発信者証明情報重畳手段２０は受信者の電話番号に対応する発信者証明情報を発信者証明情報記憶部３２から読み出す。本実施例では、使用者証明情報と発信者証明情報を異なるものと想定しているが、使用者証明情報を発信者証明情報として利用してもよい。
【００１９】
ここまでのステップの処理は、通話が終了するまでの任意のタイミングで行ってよい。
【００２０】
（ステップＳ１１０）発信者証明情報重畳手段２０は、発信者証明情報を音声信号に重畳させる。本ステップの処理は通話開始以降に実行し、通話終了（ステップＳ１１２：Ｙｅｓ）まで繰り返す。音声信号はアナログでもデジタルでもよい。本実施例では音声信号が符号化されて送信されると想定しているが、これに限定するものではなく、符号化されなくてもよい。符号化される場合には、本ステップの処理は符号化される前の音声信号に対して行われる。
【００２１】
図３は、本発明の実施例にかかる受信側電話機２における発信者証明情報認証処理のフローチャートである。本実施例にかかる受信側電話機２における発信者証明情報認証処理の流れを図３のステップＳ２０２からステップＳ２０８の順を追って説明する。
【００２２】
（ステップＳ２０２）発信者証明情報抽出手段５０は、受信した音声信号から発信者証明情報を抽出する。本ステップの処理は通話中に行われる。音声信号が符号化されて送信される場合には、本ステップの処理は復号化された後の音声信号に対して行われる。
【００２３】
（ステップＳ２０４）発信者認証手段４８は、発信者検証情報記憶部６２から発信者検証情報を読み出す。発信者検証情報記憶部６２には、複数の発信者の発信者検証情報が記録され得る。本実施例では、発信者検証情報は発信者番号に対応付けられて発信者検証情報記憶部６２に記録されているものとする。また、発信者を特定するための氏名などの情報を発信者検証情報に対応付けて記憶してもよい。発信者認証手段４８は、受信した通話の発信者番号に対応する発信者検証情報を発信者検証情報記憶部６２から読み出す。受信者が指定した発信者の発信者検証情報を発信者検証情報記憶部６２から読み出すようにしてもよい。発信者を特定せず、複数の発信者検証情報を読み出すようにしてもよい。
【００２４】
（ステップＳ２０６）発信者認証手段４８は、発信者検証情報に基づいて発信者証明情報を認証する。本実施例の説明では、発信者証明情報が発信者検証情報に一致すれば認証が成功したものとする。認証の方法はこれに限定するものではなく、発信者証明情報が発信者検証情報に基づく何らかの判定条件を満たせば認証が成功したものとしてよい。複数の発信者検証情報が読み出されている場合には、それぞれの発信者検証情報に基づいて発信者証明情報を認証する。
【００２５】
（ステップＳ２０８）認証結果出力手段４６は、認証結果を出力する。出力の内容は如何様でもよいが、認証が成功した場合に、認証が成功した発信者検証情報に対応する発信者番号あるいは氏名などの、発信者を特定する情報を出力することが望ましい。
【００２６】
以上のような構成をとることにより、発信側電話機１において本人認証を行い、認証が成功したときにのみ、本人であることを示す発信者証明情報を受信側電話機２に送信し、受信側電話機２においては、受信した発信者証明情報を用いて発信者の認証を行うことができるようになる。
【００２７】
発信側電話機１における発信者証明情報の音声信号への重畳方法と受信側電話機２における発信者証明情報の音声信号からの抽出方法の例を説明する。
【００２８】
図４は、発信者証明情報重畳処理の例を示す図である。発信側電話機１から受信側電話機２に送信すべき音声信号１１６はノッチフィルタ１０４に通され、特定の周波数成分が除去された音声信号１１８となる。
【００２９】
図５は、ノッチフィルタ１０４の周波数特性の例を示す図である。図５の例に示されるノッチフィルタ１０４の中心周波数は３ｋＨｚである。すなわち、このノッチフィルタ１０４を適用した場合、音声信号１１６から３ｋＨｚ近辺の周波数成分が除去される。ノッチフィルタ１０４の中心周波数は任意であるが、電話音声帯域である３００Ｈｚから３４００Ｈｚに設定することが望ましい。図５の例に示されるノッチフィルタ１０４の中心周波数における減衰量は６０ｄＢとしているが、これに限定するものではなく、ノッチフィルタ１０４の中心周波数における減衰量は任意である。また、ノッチフィルタ１０４の阻止帯域幅も任意である。
【００３０】
図６は音声スペクトルの例を示す図である。図７はノッチフィルタ１０４通過後の音声スペクトルの例を示す図である。図７に示された例では、図５に示された周波数特性のノッチフィルタ１０４を適用することにより、図６に示された音声スペクトルを持つ音声信号から３ｋＨｚ近辺の周波数成分が除去されている。
【００３１】
本実施例では、発信者証明情報が正弦波として音声信号に重畳される。図４において、発信者証明情報１１２に基づいて正弦波生成器１０２が正弦波１１４を生成し、正弦波１１４が音声信号１１８に重畳される。
【００３２】
図８は、発信者証明情報の例を示す図である。本実施例では、発信者証明情報を１０桁の１０進数と想定している。図８に示された例では“９６８４５２３７０１”が発信者証明情報である。この各桁を２進表現に展開する。これよって得られた４０ビットの２進数が正弦波に変換され、音声信号に重畳される。
【００３３】
図９は、発信者証明情報を正弦波に変換する例を示す図である。図９には、図８に示された発信者証明情報の２進展開データの最初の８ビットが示されている。図８に示された４０ビットの２進数は、矩形波２０２として正弦波生成器１０２に入力される。正弦波生成器１０２は、矩形波２０２が１のときだけ、あらかじめ定められた周波数の正弦波２０４を出力する。正弦波２０４の周波数はノッチフィルタ１０４の中心周波数に合わせておく。矩形波のパルス幅２０６は任意であるが、たとえば２０ｍｓとすると、４０ビットの２進数を送信するために８００ｍｓを要することになる。実際にはさらに発信者証明情報の始まりを示す信号を付加する。たとえば、図８に示す２進展開の場合、１０進数がどのような数であっても、２進展開符号において、“１”が５個以上連続することはない。そこで、たとえば４０ビットの２進数の前に“１１１１１１１１”が付加されて４８ビットとされ、これが正弦波に変換される。
【００３４】
図１０は、発信者証明情報が重畳された音声スペクトルの例を示す図である。ノッチフィルタの中心周波数に等しい３ｋＨｚの周波数の正弦波が重畳されるため、図１０に示された例では、３ｋＨｚの線スペクトルが現れている。
【００３５】
図１１は、発信者証明情報の抽出処理の例を示す図である。受信側電話機２によって受信された音声信号１４２は、バンドパスフィルタ１３２に通される。
【００３６】
図１２は、バンドパスフィルタ１３２の周波数特性の例を示す図である。図５に示されたノッチフィルタの中心周波数である３ｋＨｚ付近の周波数成分のみを通す周波数特性になっている。このバンドパスフィルタ１３２に通されることによって、音声信号１４２が図９の正弦波２０４に近い音声信号１４４となる。
【００３７】
音声信号１４４は、平滑化されたあと、あらかじめ定められた閾値と比較されることによって矩形波１４６となる。発信者証明情報抽出手段５０は、矩形波１４６のパルス長が１００ｍｓ（２０ｍｓ×５ビット）を超えるパルスを検出すると、そのパルスの終了時点から発信者証明情報が始まると解釈し、引き続く矩形波１４６を２進数に変換し、変換された２進数をさらに４ビットごとに１０進数に変換する。この結果、１０進１０桁の発信者証明情報が再現される。
【００３８】
上述のように、本発明によれば、発信側電話機において本人認証を行い、認証が成功したときにのみ、本人であることを示す発信者証明情報を受信側電話機に送信し、受信側電話機においては、受信した発信者証明情報を用いて発信者の認証を行うため、発信者が本人であることを受信側で確実に確認できる発信者証明情報送信方法を提供することが可能となる。
【００３９】
なお、上述した実施例にかかる電話機の機能は、ハードウェアとして実現可能であるだけでなく、電話機に内蔵するコンピュータのソフトウェアとしても実現可能である。例えば、図１に示した電話番号入力手段１２、音声入力手段１４、使用者証明情報入力手段１６、使用者認証手段１８、発信者証明情報重畳手段２０、符号化手段２２、送信手段２４、受信手段２６、復号化手段２８、音声出力手段３０の機能をコンピュータに実行させるプログラムを作成し、当該プログラムをコンピュータのメモリに読み込ませて実行させれば、送信側電話機の機能を実現することができる。
【００４０】
本発明の実施例にかかる電話機の機能を実現するプログラムは、電話機に内蔵するＲＯＭやＲＡＭ、あるいはハードディスク等の記録媒体のいずれに記憶されるものであってもよく、プログラム実行時には、プログラムはローディングされ、主メモリ上で実行される。
【００４１】
（付記１）電話機において、
正当な使用者であることを示す使用者証明情報を入力するための使用者証明情報入力手段と、
前記使用者証明情報を認証する際に用いる使用者検証情報を記憶しておくための使用者検証情報記憶部と、
前記使用者検証情報に基づいて前記使用者証明情報を認証するための使用者認証手段と、
正当な発信者であることを示す発信者証明情報を記憶しておくための発信者証明情報記憶部と、
前記発信者証明情報を音声信号に重畳させるための発信者証明情報重畳手段と、
を備え、
前記発信者証明情報重畳手段は、前記使用者証明情報の認証が成功したときに、前記発信者証明情報を前記音声信号に重畳させることを特徴とする電話機。
（付記２）付記１に記載した電話機であって、
前記使用者検証情報記憶部には複数の使用者検証情報が記憶され、
前記発信者証明情報記憶部には前記複数の使用者検証情報のそれぞれに対応する発信者証明情報が記憶され、
前記発信者証明情報重畳手段は、前記使用者証明情報の認証が成功した際に用いられた使用者検証情報に対応する発信者証明情報を前記音声信号に重畳させることを特徴とする電話機。
（付記３）電話機において、
正当な発信者であることを示す発信者証明情報が重畳された音声信号から該発信者証明情報を抽出するための発信者証明情報抽出手段と、
前記発信者証明情報を認証する際に用いる発信者検証情報を記憶しておくための発信者検証情報記憶部と、
前記発信者検証情報に基づいて前記発信者証明情報を認証するための発信者認証手段と、
を備えたことを特徴とする電話機。
（付記４）付記３に記載した電話機であって、
前記発信者検証情報は電話番号に対応付けられており、
前記発信者認証手段は、発信された電話機を特定する発信者番号に等しい電話番号に対応付けられた発信者検証情報に基づいて前記発信者証明情報を認証することを特徴とする電話機。
（付記５）正当な使用者であることを認証する際に用いる使用者検証情報を記憶しておくための使用者検証情報記憶部と、正当な発信者であることを示す発信者証明情報を記憶しておくための発信者証明情報記憶部とを備えた電話機が実行する発信者証明情報送信方法であって、
使用者から正当な使用者であることを示す使用者証明情報の入力を受け付けるステップと、
前記使用者検証情報記憶部から前記使用者検証情報を読み出すステップと、
前記使用者検証情報に基づいて前記使用者証明情報を認証するステップと、
前記使用者証明情報の認証が成功したときに、前記発信者証明情報記憶部から前記発信者証明情報を読み出すステップと、
前記発信者証明情報を音声信号に重畳させるステップと、
を備えたことを特徴とする発信者証明情報送信方法。
（付記６）付記５に記載した発信者証明情報送信方法であって、
前記使用者検証情報記憶部には複数の使用者検証情報が記憶され、
前記発信者証明情報記憶部には前記複数の使用者検証情報のそれぞれに対応する発信者証明情報が記憶され、
前記発信者証明情報を音声信号に重畳させるステップにおいては、前記使用者証明情報の認証が成功した際に用いられた使用者検証情報に対応する発信者証明情報を前記音声信号に重畳させることを特徴とする発信者証明情報送信方法。
（付記７）正当な発信者であることを認証する際に用いる発信者検証情報を記憶しておくための発信者検証情報記憶部を備えた電話機が実行する発信者証明情報認証方法であって、
正当な発信者であることを示す発信者証明情報が重畳された音声信号から該発信者証明情報を抽出するステップと、
前記発信者検証情報記憶部から前記発信者検証情報を読み出すステップと、
前記発信者検証情報に基づいて前記発信者証明情報を認証するステップと、
を備えたことを特徴とする発信者証明情報認証方法。
（付記８）付記７に記載した発信者証明情報認証方法であって、
前記発信者検証情報は電話番号に対応付けられており、
前記発信者検証情報に基づいて前記発信者証明情報を認証するステップにおいては、発信された電話機を特定する発信者番号に等しい電話番号に対応付けられた発信者検証情報に基づいて前記発信者証明情報を認証することを特徴とする発信者証明情報認証方法。
（付記９）正当な使用者であることを認証する際に用いる使用者検証情報を記憶しておくための使用者検証情報記憶部と、正当な発信者であることを示す発信者証明情報を記憶しておくための発信者証明情報記憶部とを備え、電話機に内蔵されたコンピュータに発信者証明情報送信方法を実行させる発信者証明情報送信プログラムであって、前記発信者証明情報送信方法は、
使用者から正当な使用者であることを示す使用者証明情報の入力を受け付けるステップと、
前記使用者検証情報記憶部から前記使用者検証情報を読み出すステップと、
前記使用者検証情報に基づいて前記使用者証明情報を認証するステップと、
前記使用者証明情報の認証が成功したときに、前記発信者証明情報記憶部から前記発信者証明情報を読み出すステップと、
前記発信者証明情報を音声信号に重畳させるステップと、
を備えたことを特徴とする発信者証明情報送信プログラム。
（付記１０）付記９に記載した発信者証明情報送信プログラムであって、
前記使用者検証情報記憶部には複数の使用者検証情報が記憶され、
前記発信者証明情報記憶部には前記複数の使用者検証情報のそれぞれに対応する発信者証明情報が記憶され、
前記発信者証明情報を音声信号に重畳させるステップにおいては、前記使用者証明情報の認証が成功した際に用いられた使用者検証情報に対応する発信者証明情報を前記音声信号に重畳させることを特徴とする発信者証明情報送信プログラム。
（付記１１）正当な発信者であることを認証する際に用いる発信者検証情報を記憶しておくための発信者検証情報記憶部を備え、電話機に内蔵されたコンピュータに発信者証明情報認証方法を実行させる発信者証明情報認証プログラムであって、前記発信者証明情報認証方法は、
正当な発信者であることを示す発信者証明情報が重畳された音声信号から該発信者証明情報を抽出するステップと、
前記発信者検証情報記憶部から前記発信者検証情報を読み出すステップと、
前記発信者検証情報に基づいて前記発信者証明情報を認証するステップと、
を備えたことを特徴とする発信者証明情報認証プログラム。
（付記１２）付記１１に記載した発信者証明情報認証プログラムであって、
前記発信者検証情報は電話番号に対応付けられており、
前記発信者検証情報に基づいて前記発信者証明情報を認証するステップにおいては、発信された電話機を特定する発信者番号に等しい電話番号に対応付けられた発信者検証情報に基づいて前記発信者証明情報を認証することを特徴とする発信者証明情報認証プログラム。
【図面の簡単な説明】
【００４２】
【図１】本発明の実施例にかかる電話機のシステム構成を示す図
【図２】本発明の実施例にかかる発信側電話機における発信者情報重畳処理のフローチャート
【図３】本発明の実施例にかかる受信側電話機における発信者証明情報認証処理のフローチャート
【図４】発信者証明情報重畳処理の例を示す図
【図５】ノッチフィルタの周波数特性の例を示す図
【図６】音声スペクトルの例を示す図
【図７】ノッチフィルタ通過後の音声スペクトルの例を示す図
【図８】発信者証明情報の例を示す図
【図９】発信者証明情報を正弦波に変換する例を示す図
【図１０】発信者証明情報が重畳された音声スペクトルの例を示す図
【図１１】発信者証明情報の抽出処理の例を示す図
【図１２】バンドパスフィルタの周波数特性の例を示す図
【符号の説明】
【００４３】
１：  発信側電話機
２：  受信側電話機
１２：  電話番号入力手段
１４：  音声入力手段
１６：  使用者証明情報入力手段
１８：  使用者認証手段
２０：  発信者証明情報重畳手段
２２：  符号化手段
２４：  送信手段
２６：  受信手段
２８：  復号化手段
３０：  音声出力手段
３２：  発信者証明情報記憶部
３４：  使用者検証情報記憶部
４２：  電話番号入力手段
４４：  音声入力手段
４６：  認証結果出力手段
４８：  発信者認証手段
５０：  発信者証明情報抽出手段
５２：  符号化手段
５４：  送信手段
５６：  受信手段
５８：  復号化手段
６０：  音声出力手段
６２：  発信者検証情報記憶部
【図１】
2008205879.tif 000003
【図２】
2008205879.tif 000004
【図３】
2008205879.tif 000005
【図４】
2008205879.tif 000006
【図５】
2008205879.tif 000007
【図６】
2008205879.tif 000008
【図７】
2008205879.tif 000009
【図８】
2008205879.tif 000010
【図９】
2008205879.tif 000011
【図１０】
2008205879.tif 000012
【図１１】
2008205879.tif 000013
【図１２】
2008205879.tif 000014